(57)【特許請求の範囲】
【請求項１】
粘着性を有する硬度１５〜８０°の樹脂エラストマーから形成され、該樹脂エラストマーは、可塑剤を含有することによって粘着性が付与されており、自在に切断でき且つ一方を他方に貼り付かせることも、貼り付き部から引き離すことも容易にできる粘着性を有する積木様若しくは学習用玩具。
【請求項２】
前記樹脂エラストマーと前記可塑剤の割合は、樹脂１５〜３０重量部に対し、可塑剤８５〜７０重量部である請求項１記載の玩具。
【請求項３】
前記樹脂エラストマーは、オレフィン系エラストマー例えば、ＳＢＳ、ＳＥＢＳ、ＳＥＰＳ、ＳＩＳ叉はその共重合物であって、ナフテン、アロマティック系オイルを含まない安全性可塑剤利用のものである請求項１又は２記載の玩具。
【請求項４】
前記安全性可塑剤が、８０〜３５０°の流動パラフィンである請求項３記載の玩具。
【請求項５】
前記樹脂エラストマーは、透明若しくは半透明である請求項１〜４のいずれかに記載の玩具。
【発明の詳細な説明】
【０００１】
【発明が属する技術分野】
この発明は、粘着性を有する樹脂エラストマーから形成した積木様若しくは学習用玩具に係り、詳記すれば、自在に切断でき且つ一方を他方に貼り付かせることも、貼り付き部から引き離すことも容易にできる積木様若しくは学習用玩具に関する。
【０００２】
【従来の技術】
従来の積木は、木若しくは硬質プラスチックから形成された円形、四角形叉は三角形の平坦なものであったので、上に積み上げることはできるが、傾斜状態にするには、制限される問題があった。そのため、積木の形状も限られ、例えば球形、円錐台形、円錐柱形の積木は、知られていない。
【０００３】
また、木や硬質プラスチックは、幼児等が使用するには、角で傷付く恐れがある問題があった。
【０００４】
更に、従来の積木は、幾何学学習用としては、殆ど役に立たないものであった。
【０００５】
【発明が解決しようとする課題】
この発明は、円柱、円錐、球、正方形、長方形及び台形等のあらゆる形状の積木とすることができる積木様玩具及び幾何学学習用玩具を提供することを目的とする。
【０００６】
また、この発明は、透明性を利用して幾何学の物体のイメージを具現し、視覚にて判断し易くできると共に、自在に切断でき且つまた元の形状に容易に復元できる幾何学学習用玩具を提供することを目的とする。
【０００７】
しかして従来、上記のような積木様玩具や幾何学学習用玩具は、全く市販されていないし、このような発想も全く知られていない。
【０００８】
【課題を解決するための手段】
上記目的に沿う本発明の構成は、粘着性を有する硬度１５〜８０°の樹脂エラストマーから形成され、該樹脂エラストマーは、可塑剤を含有することによって粘着性が付与されており、自在に切断でき且つ一方を他方に貼り付かせることも、貼り付き部から引き離すことも容易にできる粘着性を有することを特徴とする。
【０００９】
本発明に使用する樹脂エラストマーは、粘着物が容易に移行して他所を汚すことを回避するのに適した可塑剤グレードを含有することによって分子構造的に粘着性が付与されているのが好ましい。
【００１０】
本発明に使用する樹脂エラストマーとしては、具体的には、オレフィン系エラストマー例えば、ＳＢＳ、ＳＥＢＳ、ＳＥＰＳ、ＳＩＳ叉はその共重合物であって、ナフテン、アロマティック系オイルを含まない安全性可塑剤利用のものが好ましい（請求項３）。
【００１１】
樹脂エラストマーに添加する安全性可塑剤としては、８０〜３５０°の流動パラフィンであるのが好ましい（請求項４）。
【００１２】
本発明の樹脂エラストマーは、透明若しくは半透明であるのが好ましい（請求項５）。
【００１３】
【発明の実施の形態】
次に、本発明の実施の形態を説明する。
【００１４】
ＳＢＳ樹脂、ＳＥＢＳ樹脂、ＳＥＰＳ樹脂又はＳＩＳ樹脂以外のエラストマー類を使用することもできるが、その場合は、可塑剤としてナフテイン系叉はアロマティック系のものを使用せざるを得なくなるので、幼児が舐めたりした場合の毒性の点から不適当である。そればかりか、タッキファイヤー（粘着付与剤）を多量に必要とせざるを得なくなるので、同様に幼児が舐めたりすると、玩具から移行して幼児の体内に入る恐れがあるので不適当である。
【００１５】
樹脂エラストマーとして、ウレタン系エラストマー（例えばゴミ取り用ロールとして市販されているグレード）も使用可能であるが、この場合不透明となるので、玩具としての商品価値が低下する場合が多い。
【００１６】
耐候性、強度、永久歪率、透明度及び可塑剤の安定性（溶出し難い）の点から、ＳＥＰＳ樹脂（好ましくはクラレからセプトンの商標名で市販されているもの）及びＳＥＢＳ樹脂（好ましくはシェル社からクレイトンの商標名で市販されているもの）が好ましい。特に永久歪率の点から、ＳＥＢＳ樹脂が好ましい。
【００１７】
本発明に使用する可塑剤としては、安全性の点から食品添加物として認められている流動パラフィンを使用するのが好ましい。流動パラフィンとしては、８０〜３５０°のものを使用するのが好ましく、これより小さいと十分な粘着性が得られないし、これより大きいと固形となるので、均一に含有させ難くなることから好ましくない。可塑剤の代わりに粘着付与剤を使用することもできるが、前記した理由によって好ましくない。しかしながら目的によっては、可塑剤の一部として粘着付与剤（例えば石油樹脂、テルペン系樹脂、ポリブテン、液体ゴム等）の適量を添加することができる。
【００１８】
樹脂エラストマーと可塑剤の割合は、樹脂及び可塑剤の種類によって異なるが、一般には、樹脂１５〜３０重量部に対し、可塑剤８５〜７０重量部使用するのが良い。
【００１９】
粘着性をアップする必要がある場合は、粘着付与剤を全成分の合計に対し、１〜８重量％添加するのがよい。これより多いと、幼児の手や体に粘着付与剤が移行するので、この範囲とするのがよい。
【００２０】
上記のようにして、粘着性を有する硬度１５〜８０°の樹脂エラストマーが得られる。硬度がこれより小さいと軟らかすぎるし、これより大であると、硬くなるため、切断し難くなる。尚、本発明で粘着性と言うのは、一方を他方に貼り付かせる粘着性は有するが、接着性は有しないので、貼り付き部から引き離すことができることを意味するものである。
【００２１】
更に軽量化するため、マイクロバルーンを全成分量に対し、３〜１０重量％添加すると良い。このようにすることによって、人体に傷を負わせる恐れをなくすだけでなく、極めて軽くなるので、従来の積木とは全く異なる性状を与える。即ち、粘着性と軽量化とによって、組み立てた積木が壊れ難くなるし、人肌様になり、感触が良好になる。
【００２２】
次に実施例を挙げて本発明を更に説明するが、本発明はこれら実施例に限定されない。
【００２３】
下記成分を均質に混合して、粘着性を有する本発明の樹脂エラストマー（Ａ）、（Ｂ）を得た。
【００２４】
0003891829.tif 000002
比較のため、下記成分を均質に混合し樹脂エラストマー（Ｃ）、（Ｄ）を得たが、粘着性は全く有していなかった。
【００２５】
0003891829.tif 000003
上記のようにして得た粘着性を有する本発明の樹脂エラストマー（Ａ）、（Ｂ）を常法により成形して、円柱、円錐、球、正方形、長方形及び台形等のあらゆる形状の積木若しくは学習用玩具とすることができる。
【００２６】
積木様玩具として使用する場合は、積木を自由に貼り付かせることができるので、例えばおでんの串刺しのような形状とか、従来の積木では不可能な形状に組み立てることができる。傾斜させることもできるので、傾斜動作の程度等も楽しむことができる。
【００２７】
本発明の学習用玩具は、自由に切断できるし、復元もできるので、円柱、円錐、球、正方形、長方形及び台形等を何等分かに切断して、切り口の形状が理解できるし、球形のものは４等分して、次元をも視覚によって理解することができる。即ち、正方形を半分にして長方形、球を半分にして半球等、２次元、３次元、４次元等を理解し易くなる。
【００２８】
また、数値を入れれば、面積計算、方程式等も理解し易くなる。
【００２９】
本発明の玩具は、透明でも不透明でも良いが、学習用としては、透明とするのが、次元を理解するのに適している。色彩も自由であるが、分割した各部の色を異なるようにすれば、理解し易くなる場合が生じる。従って、理解し易いようにそれぞれの形の色分け、分割方法を考えれば良い。学習用としては、切断部が決まっている（或いは既に切断したものを脱着し得るように貼りつけてある）ようにするのが好ましい。
【００３０】
本発明によれば、硬度１５〜８０°の粘着性樹脂エラストマーから形成されているので、自在に切断でき、且つ自在に貼り付かせることも貼り付き部から引き離すこともできる。
【００３１】
【発明の効果】
以上述べた如く、本発明によれば、自在に切断でき、自在に貼り付かせることも貼り付き部から引き離すこともできるという従来積木としては全く考えられていなかった性質を有するので、積木様玩具としての面白みが飛躍的に向上し、幼児・子供達に大変興味を与えるものである。
【００３２】
更に、円、球形等を切断して切り口の形状や面積計算等を容易に理解することができるので、幾何学学習用として絶大な効果を発揮する。